(57)【特許請求の範囲】
【請求項１】
先端にフックを有する針本体と、針本体に対して相対移動してフックを開閉するスライダーで構成された編針を進退動自在に保持してなる前後一対の針床を有し、少なくも一方の針床が他方の針床に対し左右移動可能に構成され、少なくとも一方の針床上に、トランスファージャックを進退動自在に保持するトランスファージャックベッドを備えた横編機において、
トランスファージャックに係止するループを下部針床の編針へ目移しする際に、針本体を進出させてトランスファージャックのループ係止部に保持されるループ内へ編針のフックを進入させる針本体制御部と、
トランスファージャックを進出させてループ係止部に保持されるループを編針のフックの進退軌跡内へ押し出すトランスファージャック制御部と、
前記トランスファージャック制御部によって押し出されたループ係止部に保持されるループをフック内に拘束するためにスライダーを進出させてフックを閉鎖させるスライダー制御部を設けた目移し機構を備えた横編機。
【請求項２】
先端にフックを有する針本体と、針本体に対して相対移動してフックを開閉するスライダーで構成された編針を進退動自在に保持してなる前後一対の針床を有し、少なくも一方の針床が他方の針床に対し左右移動可能に構成され、少なくとも一方の針床上に、トランスファージャックを進退動自在に保持するトランスファージャックベッドを備えた横編機でトランスファージャックから編針へループを目移しする横編機の目移し方法において、
トランスファージャックから下部針床の編針への目移し時、ループ内へ編針のフックが進入した後、トランスファージャックを進出させてトランスファージャックに係止されるループを編針のフックの進退軌跡内へ押し出すとともにスライダーを進出させてフックを閉鎖してループをフック内に拘束するようにしたことを特徴とする横編機の目移し方法。
【発明の詳細な説明】
技術分野
本発明は先端にループ係止部を有するトランスファージャック（以下、ＴＲＪという。）が多数列設されるＴＲＪベッドを針床の上位に備え、ＴＲＪベッドのＴＲＪと針床の編針との間で目移しを行うことができる目移し機構を備えた横編機および目移し方法に関する。
背景技術
上面に形成される溝内に進退動自在に保持してなる前後一対の針床を有し、その少なくとも一方の針床が他方の針床に対し、左右移動可能に構成され、少なくとも一方の針床上に、その上面に形成される溝内にＴＲＪを進退動自在に保持するＴＲＪベッドを備えた横編機がある。この種の横編機では前後の針床の編針間だけでなく編針とＴＲＪとの間でもループの受け渡しを行うことができ、例えば日本特許公開平６−２５７０３９号公報に記載の横編機がある。
第５図はＴＲＪから編針へループが目移しされる際の各段階における編針とＴＲＪの動きを示す。図中の１０１は編針、１０３はＴＲＪ、１０５はループを示す。第５Ａ図は直前のコース編成においてＴＲＪ１０３が編針１０１からループ１０５を受け取った状態で、ＴＲＪ１０３は歯口上に進出した位置にあり、ＴＲＪ先端側に形成したループ係止部１０３ａに係止されるループ１０５が歯口上の受け渡し可能な位置にある。
次の第５Ｂ図はループ１０５を受け取る前針床の編針１０１を進出させてフック１０１ａをＴＲＪ１０３の前記ループ係止部１０３ａに係止されたループ１０５内に挿通させる。続いて第５Ｃ図と第５Ｄ図に示すようにＴＲＪ１０３を後退させてループ１０５をＴＲＪ１０３から解放させ編針１０１へ預ける。第５Ｅ図は編針１０１を後退させることでループ１０５はフック１０１ａで捕捉され目移しが完了したところを示す。
ところが第５Ｃ図と第５Ｄ図でＴＲＪ１０３が後退するときにループ１０５が後退するＴＲＪ１０３に引き寄せられてしまうことがあり、このような場合には第５Ｅ図で編針１０１が後退したときにフック１０１ａでループ１０５を捕捉できずドロップステッチ１０５ａが発生する。ドロップステッチが発生する要因は幾つか考えられる。例えばループ１０５がループ係止部１０３ａから円滑に抜け出せないような形状にＴＲＪ１０３が形成されている場合にループが引き寄せられやすく、特に伸縮性の低い編糸で編地が編成される場合ではＴＲＪ１０３でループが引き寄せられてしまうとＴＲＪが抜けた後もループは引き寄せられた状態を維持して元の状態へ復帰せずドロップステッチが発生してしまう。
発明の開示
上記した課題を解決するため、本発明では、先端にフックを有する針本体と、針本体に対して相対移動してフックを開閉するスライダーで構成された編針を進退動自在に保持してなる前後一対の針床を有し、少なくも一方の針床が他方の針床に対し左右移動可能に構成され、少なくとも一方の針床上に、ＴＲＪを進退動自在に保持するＴＲＪベッドを備えた横編機において、ＴＲＪに係止するループを下部針床の編針へ目移しする際に、針本体を進出させてＴＲＪのループ係止部に保持されるループ内へ編針のフックを進入させる針本体制御部と、ＴＲＪを進出させてループ係止部に保持されるループを編針のフックの進退軌跡内へ押し出すＴＲＪ制御部と、前記ＴＲＪ制御部によって押し出されたループ係止部に保持されるループをフック内に拘束するためにスライダーを進出させてフックを閉鎖させるスライダー制御部を設けた。
また先端にフックを有する針本体と、針本体に対して相対移動してフックを開閉するスライダーで構成された編針を進退動自在に保持してなる前後一対の針床を有し、少なくも一方の針床が他方の針床に対し左右移動可能に構成され、少なくとも一方の針床上に、ＴＲＪを進退動自在に保持するＴＲＪベッドを備えた横編機でＴＲＪから編針へループを目移しする横編機の目移し方法において、ＴＲＪから下部針床の編針への目移し時、ループ内へ編針のフックが進入した後、ＴＲＪを進出させてＴＲＪに係止されるループを編針のフックの進退軌跡内へ押し出すとともにスライダーを進出させてフックを閉鎖してループをフック内に拘束するようにした。
これによればＴＲＪに係止したループを下部針床の編針へ目移しする際に、針本体制御部によって受け取り側の針の針本体が進出され、ＴＲＪのループ係止部に保持されるループ内に突き刺す。これに続いてＴＲＪがＴＲＪ制御部によって進出され、ループを編針のフックの進退軌跡内へ押し出す。ループがフックの進退軌跡内に保持された状態でスライダー制御部によりスライダーが進出されフックを閉鎖する。目移しを完了するために続いてＴＲＪが後退してループがＴＲＪ側に引き寄せられたとしてもループは閉じたフック内で拘束されているためこれに続いて針が後退してもループがフックから外れることはなくドロップステッチは発生しない。
発明を実施するための最良の形態
本発明の目移し機構を備えた横編機とその目移し方法について好適な実施例を、以下図面とともに説明する。
第１図は横編機の縦断面図を示す。横編機１は、前後一対に対向配置される針床３ａ，３ｂを備える。針床３ａ，３ｂは基板５ａ，５ｂ上に形成した溝７ａ，７ｂ内にニードルプレート９ａ，９ｂを立設し、隣接するニードルプレート間に針溝１１ａ，１１ｂを形成し、各針溝１１ａ，１１ｂ内に編針１３ａ，１３ｂを歯口１５に対し進退動可能に収容する。後針床３ｂは図示せぬ駆動手段により針床の長手方向にラッキング可能に構成される。
本実施例では針溝１１内には、先端にフック２１を形成した針本体１７とスライダー１９が編針の進退方向において相対移動可能で、この相対移動によりフック２１を開閉できる複合針１３が装着されている。針本体１７の後端に形成した凹部２３に凸部２５を嵌合して針本体１７と一体化されるニードルジャック２７に形成したバット２８と、スライダー１９のバット３１が針床上を往復走査する前後一対のキャリッジ３３ａ，３３ｂに設けた制御カム３５ａ，３５ｂによりそれぞれ進退制御可能に構成されている。４３ａ，４３ｂは針床長手方向に装着した帯金で編針を針溝１１内に保持する。ニードルジャック２７は図示せぬセレクトジャック、セレクタと共に針溝内に装着され、キャリッジ３３ａ，３３ｂのプレッサーにより針溝１３内に没入する方向に選択的に押圧されることでバット２８がキャリッジ３３ａ，３３ｂ上のカムに係合しない位置へと没入可能となっている。
前後針床３ａ，３ｂ間の歯口１５にはシンカープレート４７ａ，４７ｂが編針１３間に設けられる。ＴＲＪベッド５１は前ベッド３ａに装着したニードルプレート９ａの先頭部分上方に延出した延出部分５３でＴＲＪベッド５１を支持する。ＴＲＪベッド５１は針床の針溝１１と同ピッチで形成したＴＲＪ溝５５内にＴＲＪ５７を進退動自在に収容し、帯金５９によりＴＲＪ５７をＴＲＪベッド５１の溝５５内に保持する。ＴＲＪ５７は先端部にループ係止部６１が、後端部に選択用バット６３が形成され、その間に進退制御用のバット６５が突設される。ＴＲＪは、キャリッジ３３ａの上部前方に設けた制御カム６７と係合して進退操作される。６０はバット６３に選択的に作用する選択アクチュエータを示す。
次にキャリッジ３３ａ，３３ｂに設けた編針１３とＴＲＪ５７を進退制御する制御カム３５，６７について第２図（前キャリッジ）を参照しながら説明する。
編針進退制御カム３５はスライダー制御部３６と針本体制御部３７で構成され、歯口側よりガイドカム８５，８３，８１が配設される。ガイドカム８１とガイドカム８３の間には針本体を進退操作するニードルジャック２７のバット２８用のカム面を形成したカム溝８４と、ガイドカム８３とガイドカム８５の間にはスライダー１９のバット３１用のカム面を形成したカム溝８６が形成される。
スライダー制御部３６は、カム溝８６内にガイドガム８３の前縁に形成した第１上げカム面８３ａとそれに続く第１平坦面８３ｂ、第２上げカム面８３ｃ、第２平坦面８３ｄとガイドカム８５の後縁に形成した下げカム面８５ａを有する。針本体制御部３７は、カム溝８４内にガイドカム８１の前縁に形成した上げカム面８１ａとこれに続く平坦面８１ｂおよびガイドカム８３の後縁に形成した下げカム面８３ａを有する。
ＴＲＪ制御部６７は、歯口側に設けたガイドカム７１とその後方に設けたガイドカム７３、７５で構成され、その間にＴＲＪ５７を進退操作するためのカム面を形成したカム溝９１が形成されている。ガイドガム７５の前縁に第１上げカム面７５ａとこれに続く平坦面７５ｂが、ガイドカム７１の後縁に下げカム面７１ａが形成されている。ガイドカム７３の後縁に形成した下げカム面７３ａは下げカム面７１ａで後退されたＴＲＪのバット６５に作用してバットを更に後退させた休止位置へ案内する。
針本体制御部３７、スライダー制御部３６およびＴＲＪ制御部６７に形成した各カム面はキャリッジの進行方向において略同位相に設けられ、ＴＲＪから編針への目移しの際に後述のように作用する。図中の実線９５で示すのがＴＲＪから編針へループを目移しする際のＴＲＪのバット６５のルートを示し、実線９６、９７がそれぞれスライダーバット３１とニードルジャックバット２８のルートを示す。一点鎖線９８は編針からＴＲＪへループを目移しする際のＴＲＪの制御バット６５のルートを示し、破線９９は後退位置で編成に関与しないＴＲＪのバット６５が通過するルートを示す。
以下第２図〜第４図を使用してキャリッジが右から左へ移動してループ８８が編針からＴＲＪに移された後、前針床３ａとＴＲＪベッド５１がラッキングにより相対移動した後、キャリッジ３３が反転して左から右へ移動する際にＴＲＪ５７から前針床３ａの編針１３ａへループを目移しする場合について説明する。第２図に示す各▲１▼〜▲７▼の位相におけるＴＲＪ５７と編針１３ａを側面視したものを第３Ａ図〜第３Ｄ図と第４Ａ図〜第４Ｃ図に示す。
第３Ａ図に示すように第２図の位相▲１▼では、ＴＲＪ５７は前コースで編針からＴＲＪ５７へループ８８が移されたときのまま進出した位置にあり、ループ係止部６１が歯口上のループ受け渡し位置にある。このとき編針１３ａの針本体１７ａとスライダー１９ａはともに後退位置にある。
位相▲２▼では前ベッド３ａの編針１３ａの針本体１７ａとスライダー１９ａの各バット２８ａ，３１ａは上げカム面８１ａ、８３ａに係合して針本体１７ａとスライダー１９ａを進出させる。このときフック２１ａの先端部分はＴＲＪ５７の前記ループ係止部６１に係止されたループ８８内に進入する位置まで進出し、側面視において針本体１７ａとスライダー１９ａはループ係止部６１と交差する高さまで進出している（第３Ｂ図）。
位相▲３▼ではバット２８ａが上げカム面８１ａ頂部まで昇り、フック２１ａがループ係止部６１よりも更に高い位置まで進出してループ８８の上端８８ａを完全に超えた位置にある（第３Ｃ図）。
位相▲４▼では上げカム面７５ａによりＴＲＪ５７を進出させてその肩部分でループ８８をフック２１の進退軌跡内へ押し出す（第３Ｄ図）。
位相▲５▼ではＴＲＪ５７は位相▲４▼の位置を維持しており、ループ８８はフックの進退軌跡内へ押し出されている。この状態でスライダーが第２上げカム面８３ｃにより進出されてフック２１ａを閉鎖してループ８８をフック内に拘束する（第４Ａ図）。
位相▲６▼ではＴＲＪ５７は下げカム面７１ａによって後退し、ループ８８をＴＲＪ５７から解放させる（第４Ｂ図）。このときループ８８はフック内に拘束された状態となっているのでＴＲＪ後退時にループ８８がＴＲＪ側へ引き寄せられてもフック２１ａからループ８８が外れることはない。
位相▲７▼では針本体１７ａとスライダー１９ａは既に下げカム面８３ｅ，８５ａによって後退されており、ＴＲＪ５７も下げカム面７３ａにより歯口１５から後退してＴＲＪ５７から編針１３ａへのループ８８の目移しが完了する（第４Ｃ図）。
上記に本発明の目移し機構を備えた横編機とその目移し方法についての実施例を示した。これからわかるように本発明ではＴＲＪから編針へループを目移しする際にＴＲＪでループをフックで捕捉可能な位置までフック側へ押し出すとともにこのフックがスライダー後退時に引き寄せられてもフックから外れないようにスライダーを進出させてフックを閉じるようにしてこれを阻止するようにしたので従来のようにこの目移しの際にドロップステッチが発生することがない。
なお、上記ではループ係止部が水平方向に進退動するＴＲＪの実施例を示したが、本発明は上記した実施例に限定されるものではなく、例えばループ係止部が歯口に進出した状態で揺動可能に構成して、フックでループを貫通させた後、ＴＲＪを後退させる際にループ係止部が下方におじぎするように揺動させるようにすればループがよりスムーズにＴＲＪから解放することができる。このようにＴＲＪを揺動させる場合にも本発明を適用することは可能である。
産業上の利用可能性
本発明によれば、ドロップステッチの発生をくい止めＴＲＪから編針への確実なループの受け渡しができる。
【図面の簡単な説明】
第１図は本発明の実施例に係る目移し機構を備えた横編機の縦断面図である。第２図はＴＲＪから編針への目移しの際のキャリッジに設けたＴＲＪと編針の制御カムの透視図である。第３図はＴＲＪが第２図の各位相▲１▼〜▲４▼にあるときの編針とＴＲＪを示す図である。第４図はＴＲＪが第２図の各位相▲５▼〜▲７▼にあるときの編針とＴＲＪを示す図である。第５図は従来方法におけるＴＲＪから編針への目移しの際のＴＲＪと編針の動きを示した図である。
【図１】
0003886900.tif 000002
【図２】
0003886900.tif 000003
【図３】
0003886900.tif 000004
【図４】
0003886900.tif 000005
【図５】
0003886900.tif 000006